(57)【特許請求の範囲】
【請求項１】
扉（１）に配設される錠箱（７）に対しスライド移動自在に設けられ、回転操作されるシリンダ錠（９）又はサムターン（２１）により、前記錠箱（７）のフロント板より進退し前記扉（１）の端面から進退するデッドボルト（２３）と、
前記シリンダ錠（９）又は前記サムターン（２１）の回転操作により連動して、前記扉（１）の端面（１１）に形成された凹溝（３５）内において該端面（１１）の長手上下方向に沿ってスライドする摺動部材（３３）と、
該摺動部材（３３）又は該摺動部材に対向する扉枠（３１）のいずれか一方に設けられ、該摺動部材又は扉枠のいずれか他方に向かって突設される先端に膨出部（７１ｃ）を有するロックピンよりなる複数の係合突起（７１）と、
前記摺動部材又は前記扉枠のいずれか他方に設けられ前記摺動部材（３３）が上下方向にスライドされることでそれぞれの前記係合突起（７１）の前記膨出部（７１ｃ）が係合されるように一端が開口した奥拡がりの嵌入溝（７３ａ）を有するロックピン受よりなる複数の係合受部（７３）と、
前記扉（１）に配設される副錠箱（９９）に設けられ、前記摺動部材（３３）がスライドして前記係合突起（７１）と前記係合受部（７３）とが係合状態となる状態を維持するように、副錠箱（９９）の操作により突出する係合杆（１０２）が摺動部材（３３）に穿設された係止孔（１０７）に挿入されて前記摺動部材（３３）のスライドを規制する副施錠手段と、
を具備し、前記摺動部材（３３）を構成し、前記錠箱（７）内に長手方向中央部が内挿される基材（３７）の中央部にラック（４３）が形成され、該ラック（４３）が前記シリンダ錠（９）又はサムターン（２１）とともに回転されるギヤ（４５）に噛合されることにより、シリンダ錠（９）又はサムターン（２１）の回転に連動して摺動部材（３３）がスライドすることを特徴とする施錠装置。
【発明の詳細な説明】
【０００１】
【発明の属する技術分野】
本発明は、本締錠に連動する複数のロックを備えた施錠装置に関するものである。
【０００２】
【従来の技術】
デッドボルトを単に出し入れする通常の本締錠は、ストライクとデッドボルトを離反方向に破壊することによる不正解錠が防止できない場合があり、十分な施錠信頼性の得られないことがある。このような不正解錠を確実に阻止するため、施錠装置には、デッドボルトにカマ片を併設したタイプのものが提案されている。
【０００３】
この種の施錠装置は、シリンダ錠又はサムターンのいずれか一方の回転で扉の端面から水平に突出する一般的なデッドボルトと、このデッドボルトの近傍で扉の表裏面に垂直な揺動軸に回転自在に支持されるカマ片とを錠箱内に有している。デッドボルトとカマ片とは、例えばデッドボルトの側面から突出したピンに、カマ片の長孔が係合して連動される。
【０００４】
この施錠装置では、シリンダ錠又はサムターンが回転され、デッドボルトが扉の端面から突出すると、これに従動してカマ片が揺動軸を中心にして円弧状に移動され、先端が扉の端面から円弧状の軌跡を描いて突出される。
従って、デッドボルトの受け穴への進入に加えて、カマデッドの鉤状先端部が受け穴の裏側面にも掛止するようになる。これにより、単にデッドボルトが受け穴に進入する施錠では防ぐことのできなかったストライクとデッドボルトの離反方向の破壊による不正解錠を防止することができた。
【０００５】
【発明が解決しようとする課題】
しかしながら、カマ片を併設した上述の従来の施錠装置は、カマ片を揺動自在に錠箱内に設け、かつこのカマ片とデッドボルトとを連動機構によって連結しなければならないため、施錠機構が複雑かつ大型化し、同時に装置コストが高価となる問題があった。また、多点締めにより防犯性を高める場合には、同様の装置を複数設置しなければならず、個々のものが大型かつ高価であることから、複数構成は不利となった。
【０００６】
本発明は上記状況に鑑みてなされたもので、補助錠を必要とせずに簡単かつ安価な構造で、多点締めが可能になる施錠装置を提供し、コストの低減と防犯性の向上を同時に図ることを目的とする。
【０００７】
【課題を解決するための手段】
次に、上記の課題を解決するための手段を、実施の形態に対応する図面を参照して説明する。
この発明の請求項１に係る施錠装置８１は、扉１に配設される錠箱７に対しスライド移動自在に設けられ、回転操作されるシリンダ錠９又はサムターン２１により、前記錠箱７のフロント板より進退し前記扉１の端面から進退するデッドボルト２３と、
前記シリンダ錠９又は前記サムターン２１の回転操作により連動して、前記扉１の端面１１に形成された凹溝３５内において該端面１１の長手上下方向に沿ってスライドする摺動部材３３と、
該摺動部材３３又は該摺動部材に対向する扉枠３１のいずれか一方に設けられ、該摺動部材又は扉枠のいずれか他方に向かって突設される先端に膨出部７１ｃを有するロックピンよりなる複数の係合突起７１と、
前記摺動部材又は前記扉枠のいずれか他方に設けられ前記摺動部材３３が上下方向にスライドされることでそれぞれの前記係合突起７１の前記膨出部７１ｃが係合されるように一端が開口した奥拡がりの嵌入溝７３ａを有するロックピン受よりなる複数の係合受部７３と、
を具備したことを特徴としている。
【０００８】
この施錠装置８１では、シリンダ錠９又はサムターン２１が回転操作され、デッドボルト２３が突出すると、同時に摺動部材３３が端面１１に沿ってスライドされ、扉１と扉枠３１とに亘って設けられた複数の係合突起７１及び係合受部７３が互いに係合されて、デッドボルト２３による本締めと同時に、係合突起７１と係合受部７３が多数箇所でロックされる。複数の係合突起７１と係合受部７３は、一つの摺動部材３３のスライドにより係合されるので、簡単な構造で多点締めが可能になる。また、係合突起７１と係合受部７３は、シリンダ錠９又はサムターン２１の回転により操作されるため、他の構造の補助錠等が不要となる。
【０００９】
また、請求項１に記載の施錠装置では、
前記扉１に配設される副錠箱９９に設けられ、前記摺動部材３３がスライドして前記係合突起７１と前記係合受部７３とが係合状態となる状態を維持するように、副錠箱９９の操作により突出する係合杆１０２が摺動部材３３に穿設された係止孔１０７に挿入されて前記摺動部材３３のスライドを規制する副施錠手段を具備したことを特徴としている。
さらに、前記摺動部材３３を構成し、前記錠箱（７）内に長手方向中央部が内挿される基材３７の中央部にラック４３が形成され、該ラック４３が前記シリンダ錠９又はサムターン２１とともに回転されるギヤ４５に噛合されることにより、シリンダ錠９又はサムターン２１の回転に連動して摺動部材３３がスライドすることを特徴としている。
【００１０】
この施錠装置９１では、シリンダ錠９又はサムターン２１が回転操作され、デッドボルト２３が突出すると、同時に摺動部材３３が端面１１に沿ってスライドされ、扉１と扉枠３１とに亘って設けられた複数の係合突起７１及び係合受部７３が互いに係合されて、デッドボルト２３による本締めと同時に、係合突起７１と係合受部７３が多数箇所でロックされる。複数の係合突起７１と係合受部７３は、一つの摺動部材３３のスライドにより係合されるので、簡単な構造で多点締めが可能になる。また、副施錠手段９３により、摺動部材３３のスライドを規制され、複数の係合突起７１と係合受部７３との係合状態を維持されることなり、二重な施錠状態となって防犯性が向上する。
なお、副施錠手段９３としては、デッドボルト２３の本締めを行うシリンダ錠９又はサムターン２１と同様の構成の施錠装置にて構成することとしてもよい。
【００１１】
【発明の実施の形態】
以下、本発明に係る施錠装置の好適な実施の形態を図面を参照して詳細に説明する。
図１は本発明に係る第一の実施の形態の施錠装置を備えた扉の正面図、図２は図１の施錠装置に設けられるガードアームロックの斜視図、図３は図２に示したガードアームロックの動作説明図、図４は図１の施錠装置の要部分解斜視図、図５は図１のＡ−Ａ線矢視図、図６は図４の一部を切り欠いた側面図である。
扉１の屋外側およびまたは屋内側の面には、図１に示すように、把手３が設けられ、また、その上方に錠部５が設けられている。
この錠部５は、錠箱７が扉１に内蔵される。
【００１２】
錠箱７にはシリンダ錠９が設けられ、シリンダ錠９は扉１の屋外側表面にキー孔９ａが露出している。また、このシリンダ錠９の屋内側面にはサムターン２１が配設されている。
【００１３】
錠箱７には水平方向に進退移動するデッドボルト２３が内蔵され、デッドボルト２３はシリンダ錠９又はサムターン２１のいずれか一方の回転で扉１の端面１１から突出するようになっている。
扉端面１１から突出したデッドボルト２３は、建物躯体側の扉枠３１に設けられたストライク（図示せず）に進入することで扉１の開閉を阻止して施錠するようになっている。
【００１４】
この実施の形態による施錠装置８１は、上記デッドボルト２３を含めてガードアームロック１３を備えた構成となっている。
【００１５】
ガードアームロック１３は、扉１側に構成されるガードロック部１５と、建物躯体側の扉枠３１側に構成されるガードロック受座１７とで構成される。
【００１６】
ガードロック部１５は、デッドボルト２３と兼用され、このデッドボルト２３の先端部に形成される括れ部２３ａを備え、前述したシリンダ錠９又はサムターン２１の回転操作によって、扉端面１１と面一な覆板４７から進退するようになっている。
【００１７】
一方、扉枠３１に取り付けられるガードロック受け座１７には、全長が伸縮自在に構成されたガードアーム２５の基端部が回転自在に固定されている。
ガードアーム２５の先端には環状先端部２７が形成され、この環状先端部２７はガードロック受座１７に形成された凹状の切欠２９に配置される。
【００１８】
この環状先端部２７と切欠２９には、上述のデッドボルト２３の先端部の括れ部２３ａが挿入されるようになっている。
環状先端部２７に挿通されて切欠２９に進入したデッドボルト２３は、扉の開動に伴って切欠２９の側面開口部から脱出可能になっている。
【００１９】
このガードアームロック１３は、扉閉鎖時に、サムターン２１が回転操作されて、デッドボルト２３が突出すると、デッドボルト２３の括れ部２３ａが環状先端部２７を貫通して切欠２９に進入する。
この状態で、扉１が開放されると、環状先端部２７にデッドボルト２３の括れ部２３ａが掛止した状態になり、図３に示すように、ガードアーム２５は基端部を中心に回転しながら伸長する。
【００２０】
ガードアーム２５が伸長限度に達すると、扉１がデッドアーム２５を介して扉枠３１側に固定される。
これにより、扉１の開放角度が規制され、来訪者の確認等を安全に行うことができるようになっている。
なお、本発明に係る施錠装置８１は、このガードアームロック１３を設けない構成としても勿論よい。
【００２１】
扉１の端面１１には摺動部材３３が設けられ、摺動部材３３はシリンダ錠９又はサムターン２１のいずれか一方の回転で、端面１１の長手方向（図４の上下方向）に沿ってスライドするようになっている。
【００２２】
摺動部材３３は、例えば図５に示すように、扉１の端面１１に形成した凹溝３５内にスライド自在に保持される。
この実施の形態による摺動部材３３は、基材３７と、この基材３７の両端に連結ピン３９を介して連結される連結材４１とからなる。
連結材４１は、連結ピン３９を介して複数が連結できるようになっている。
【００２３】
基材３７の中央部には、本実施の形態では、ラック４３が形成されており、図６に示すように、錠箱７内に、この基材３７の長手方向中央部が内挿されている。
ラック４３は、シリンダ錠９又はサムターン２１とともに回転されるギヤ４５に噛合され、シリンダ錠９又はサムターン２１の回転によって図６の上下方向へ端面１１に沿ってスライドされるようになっている。
【００２４】
扉１の端面１１には、錠箱７を構成する覆板４７が位置し、ビス４９によって固定されている。
ビス４９の外側にはカラー５１が外挿され、カラー５１は基材３７に穿設された長孔５３に挿入されている。
すなわち、基材３７は、カラー５１に対し、長孔５３が移動する範囲でスライドされるようになっている。
【００２５】
図７は図１の施錠装置に用いられる係合突起及び係合受部の斜視図である。
摺動部材３３の連結材４１には、扉枠３１へ向かって突出する係合突起としてのロックピン７１が、摺動部材３３の長手方向に所定の間隔を有して複数設けられている。
【００２６】
ロックピン７１は、ベース部７１ａと、ベース部７１ａから突出して先端に膨出部７１ｃを有するピン部７１ｂとからなる。
【００２７】
一方、扉枠３１には、端面１１へ対向して係合受部としてのロックピン受７３が、扉枠３１の長手方向に所定の間隔を有して複数設けられている。これらロックピン７１とロックピン受７３は、同数が略対向位置に配設される。
【００２８】
ロックピン受７３は、図７に示すように、下端となる一端が開口した奥拡がりの嵌入溝７３ａが形成され、この嵌入溝７３ａにはロックピン７１のピン部７１ｂが、ピン部７１ｂの軸線に対して直交する垂直な上下方向で移動されて挿入されるようになっている。
【００２９】
嵌入溝７３ａに挿入されたピン部７１ｂは、図８（ｂ）に示すように、先端の膨出部７１ｃがロックピン受７３の裏面に係合するようになっている。
すなわち、ロックピン７１とロックピン受７３は、相互に係止することで、扉１の開閉方向の移動を阻止するとともに、扉枠３１と扉端面１１の隙間が広がる方向の変形も阻止するようになっている。
【００３０】
なお、この実施の形態では、摺動部材３３にロックピン７１を設け、扉枠３１にロックピン受７３を設ける場合を例に説明するが、本発明による施錠装置は、これとは逆に、摺動部材３３にロックピン受７３を設け、扉枠３１にロックピン７１を設けても同様の作用・効果を奏するものである。
【００３１】
次に、このように構成された施錠装置８１の作用を説明する。
図８は係合突起及び係合受部の解錠時を（ａ）施錠時を（ｂ）で示した施錠状態説明図である。
【００３２】
シリンダ錠９又はサムターン２１が、例えば角度４５°回転されると、デッドボルト２３の括れ部２３ａのみが突出されて、ガードアーム２５の環状先端部２７に進入する。
この状態で、扉１が開放されれば、上述のように、ガードアーム２５が回転しながら伸長し、図３に示すように、扉１の開放角度が規制される。
扉１が開放されずに、さらに、シリンダ錠９又はサムターン２１が例えば角度４５°回転されると、デッドボルト２３がさらに突出して扉枠３１側のストライクに進入し、このデッドボルト２３による施錠状態となる。
【００３３】
この際同時に、シリンダ錠９又はサムターン２１の回転に伴って摺動部材３３がスライドされ、摺動部材３３に設けられた複数のロックピン７１が、図８（ａ）に示すように、端面１１に沿って上方向へ移動される。
移動されたそれぞれのロックピン７１は、ロックピン受７３の嵌入溝７３ａに下方から進入する。
【００３４】
嵌入溝７３ａに挿入されたピン部７１ｂは、図８（ｂ）に示すように、先端の膨出部７１ｃがロックピン受７３の裏面に係合状態となる。
これにより、扉枠３１と扉端面１１は、扉１の開閉方向の移動が阻止されるとともに、扉枠３１と扉端面１１の隙間が広がる方向の変形が阻止される。
【００３５】
このようにして、扉１と扉枠３１とに亘って設けられた複数のロックピン７１とロックピン受７３が互いに係合されて、デッドボルト２３による本締めと同時に、ロックピン７１とロックピン受７３が多数箇所でロックされる。
【００３６】
この施錠装置８１によれば、デッドボルト２３による本締めと同時に、ロックピン７１とロックピン受７３とを互いに係合させて、多数箇所でのロックが行え、防犯性を向上させることができる。
【００３７】
また、一つの摺動部材３３をスライドさせることにより、複数のロックピン７１とロックピン受７３を係合できるので、簡単な構造で多点締めを可能にすることができる。
さらに、シリンダ錠９又はサムターン２１を回転させてロックピン７１とロックピン受７３を係合できるので、補助錠など他の施錠構造が不要となり安価に製作することができる。
【００３８】
また、扉枠３１又は扉端面１１には、ロックピン７１を覆うカバー部材を設けることが好ましい。
このカバー部材８３は、例えば図５に示すように、扉枠３１に設けることとする。このカバー部材８３には、扉１の開閉時にのみロックピン７１が通過する切欠（図示せず）を備える構造とする。
【００３９】
このようなカバー部材８３を設けることで、扉枠３１と扉端面１１の隙間から、ロック状態にあるロックピン７１が容易に目視されない構造にでき、防犯性をさらに高めることができる。
【００４０】
なお、上述した施錠装置８１は、主要部材である摺動部材３３，ロックピン７１，ロックピン受７３が、扉１の外部で追加取付けできるので、既設の扉１に比較的容易に後付けすることができ、既存の施錠装置にさらなる防犯性を付加させることが可能となる。
【００４１】
次に、本発明に係る施錠装置の第二の実施の形態を説明する。
図９は本発明に係る第二の実施の形態の施錠装置を備えた扉の正面図、図１０は図９の施錠装置に用いられる副施錠手段の一部分を切り欠いた正面図である。なお、図１〜図８に示した部材と同一の部材には同一の符号を付し、重複する説明は省略する。
【００４２】
この第二の実施の形態による施錠装置９１は、上述の施錠装置８１と同様の摺動部材３３，ロックピン７１，ロックピン受７３を主要構成要素として備えるのに加え、副施錠手段としての副施錠装置９３を備えている。
【００４３】
この第二の実施の形態の副施錠装置９３は、扉１に配設される副錠箱９９を有しており、この副錠箱９９に、副シリンダ錠９５と、副サムターン９７とが備えれている。
この実施の形態では、副錠箱９９は扉１の下方、例えば図９に示すように、把手３の下部に配置される。
【００４４】
副施錠装置９３の副錠箱９９には、ロック板１０１が図１０の左右方向にスライド自在に設けられ、ロック板１０１は副シリンダ錠９５又は副サムターン９７が回転されることで扉端面１１から先端の係合杆１０２突出及び後退自在となっている。
副シリンダ錠９５又は副サムターン９７の回転を、ロック板１０１の進退動作に変換する構造は、例えば図１０に示すように、ロック板１０１に凹部１０３を形成し、副シリンダ錠９５又は副サムターン９７の回転軸に、この凹部１０３に係合する突起１０５を突設することで構成できる。
【００４５】
また、摺動部材３３にはロック板１０１の係合杆１０２が挿入する係止孔１０７が穿設されている。
係止孔１０７は、摺動部材３３がロック位置に移動した時にロック板１０１の先端と一致するように配設されている。
【００４６】
このように構成された施錠装置９１では、シリンダ錠９又はサムターン２１が回転され、デッドボルト２３がストライクに進入するとともに、ロックピン７１がロックピン受７３に係止した状態で、副施錠装置９３の副シリンダ錠９５又は副サムターン９７のいずれか一方を回転させる。
【００４７】
これにより、突出したロック板１０１の係合杆１０２が、摺動部材３３の係止孔１０７に進入し、摺動部材３３のスライドが阻止し、これらロックピン７１とロックピン受７３との係合状態を維持することになる。つまり、ロックピン７１とロックピン受７３とは、二重に施錠されることになる。
【００４８】
この施錠装置９１によれば、デッドボルト２３の本締めを行うシリンダ錠９又はサムターン２１とは別に、独立して摺動部材３３がロック可能になる。これにより、扉１の解錠には、本締め用のシリンダ錠９又はサムターン２１の操作に加え、その操作以前に、副施錠装置９３の副シリンダ錠９５又は副サムターン９７の操作が必要になり、防犯性をさらに向上させることが可能となる。
【００４９】
なお、この第二の実施の形態の副施錠手段としては、上記した副シリンダ錠９５又は副サムターン９７とを操作することにより摺動部材３３のスライド阻止を行う構成以外に、例えば、摺動部材３３がスライド移動を行うと自動的にロック板１０１が移動して係合杆１０２が摺動部材の係止孔１０７に進入する構成としてもよく、すなわち、デッドボルト２３の本締めを行うシリンダ錠９又はサムターン２１の操作を行うと自動的に摺動部材３３のスライド移動を規制しロックピン７１とロックピン受７３との係合状態を維持させ施錠状態とする構成としてもよい。
【００５０】
また、上述したシリンダ錠９又はサムターン２１により摺動部材３３の端面１１に沿うスライドを行う手段は、図６に示したラック４３及びギヤ４５によるもの以外の構成としてもよい。
【００５１】
例えば、図１１に示すように、摺動部材３３の基材３７に、凹部５５を形成し、シリンダ錠９又はサムターン２１の回転中心から半径方向外側へ突出する突起５７を突設し、シリンダ錠９又はサムターン２１の回転により突起５７を凹部５５に係合させて基材３７をスライドさせるものや、図１２に示すように、基材３７に係合孔５９を穿設し、シリンダ錠９又はサムターン２１の回転中心から半径方向外側へ突出するカム状突起６１を突設し、シリンダ錠９又はサムターン２１の回転によりカム状突起６１を係合孔５９に係合させて基材３７をスライドさせるもの、さらには、図１３に示すように、バネ材６３によって伸長方向に付勢される伸縮自在な連結杆６５を介して基材３７とシリンダ錠９又はサムターン２１とをリンク状に連結し、サムターン２１の回転により連結杆６５を介して基材３７をスライドさせるもの等が挙げられる。
【００５２】
【発明の効果】
以上詳細に説明したように、本発明に係る施錠装置は、シリンダ錠又はサムターンの回転操作で連動してスライドする摺動部材を扉の端面に設け、この摺動部材のスライドによって相互に係合する複数の係合突起及び係合受部を、摺動部材と扉枠に亘って設けたので、デッドボルトによる本締めと同時に、係合突起と係合受部を係合させて、多数箇所でのロックが行え、防犯性を向上させることができる効果がある。
上記複数の係合突起及び係合受部同士の係合は、先端に膨出部７１ｃを有するロックピンよりなる複数の係合突起７１と係合突起７１の膨出部７１ｃが係合されるように一端が開口した奥拡がりの嵌入溝７３ａを有するロックピン受よりなる複数の係合受部７３同士の係合であって、扉閉鎖位置において、互いに対向位置になる扉枠３１と扉端面１１との複数上下位置での結合となるところから、扉の開閉方向の移動を有効に阻止するとともに、扉枠と扉端面との隙間が広がる方向への変形も有効に阻止することとなり、防犯性の点で優れている。
【００５３】
また、一つの摺動部材をスライドさせることにより、複数の係合突起と係合受部を互いに係合させることができるので、簡単な構造で多点締めを可能にすることができる効果がある。
【００５４】
さらに、デッドボルトによる本締めを行うシリンダ錠又はサムターンの回転操作により係合突起と係合受部とを係合できる構成であるので、すなわち、１つのシリンダ錠又はサムターンにてデッドボルトによる施錠と係合突起，係合受部による施錠が同時に行えるので、他の構成の補助錠などが不要となり、これにより施錠を行う装置として安価に構成することができる効果がある。
【００５５】
また、副施錠手段を設け、摺動部材がスライドして係合突起と係合受部とが係合状態となる状態を維持し、摺動部材のスライドの移動を規制させることにより、デッドボルトを本締めするシリンダ錠又はサムターンとは独立して摺動部材をロック、すなわち施錠状態とすることができ、防犯性をさらに向上させることができる。
【図面の簡単な説明】
【図１】本発明に係る第一の実施の形態の施錠装置を備えた扉の正面図である。
【図２】同施錠装置に備えられるガードアームロックの斜視図である。
【図３】同ガードアームロックの動作説明図である。
【図４】同実施の形態の施錠装置の要部分解斜視図である。
【図５】図１におけるＡ−Ａ線矢視図である。
【図６】同実施の形態の施錠装置の一部裁断側面図である。
【図７】同施錠装置に用いられる係合突起及び係合受部の斜視図である。
【図８】係合突起及び係合受部の解錠時及び施錠時を示した施錠状態説明図である。
【図９】本発明に係る第二の実施の形態の施錠装置を備えた扉の正面図である。
【図１０】同施錠装置に用いられる副施錠手段の一部裁断正面図である。
【図１１】他の実施の形態の施錠装置における一部拡大正面図である。
【図１２】他の実施の形態の施錠装置における一部拡大正面図である。
【図１３】他の実施の形態の施錠装置における一部拡大正面図である。
【符号の説明】
１…扉
７…錠箱
９…シリンダ錠
１１…扉端面
２１…サムターン
２３…デッドボルト
３１…扉枠
３３…摺動部材
７１…係合突起（ロックピン）
７３…係合受部（ロックピン受）
８１，９１…施錠装置
９３…副施錠手段（副施錠装置）
９９…副錠箱
【図１】
0004231595.tif 000002
【図２】
0004231595.tif 000003
【図３】
0004231595.tif 000004
【図４】
0004231595.tif 000005
【図５】
0004231595.tif 000006
【図６】
0004231595.tif 000007
【図７】
0004231595.tif 000008
【図８】
0004231595.tif 000009
【図９】
0004231595.tif 000010
【図１０】
0004231595.tif 000011
【図１１】
0004231595.tif 000012
【図１２】
0004231595.tif 000013
【図１３】
0004231595.tif 000014